(57)【要約】【課題】  表示部による消費電力を抑えつつ、画像形成に関する必要最小限の情報をユーザーに提供することにある。【解決手段】  この表示装置３１は、画像形成装置１に含まれる装置であって、表示パネル１３と、表示制御部２５とを備えている。表示パネル１３は、平面方向に並べて配置された複数の光源を有するとともに、画像形成動作が可能な状態であることが表示される第１表示領域５５と第１表示領域５５を除く第２表示領域５７とを含む省エネ操作画面４３を表示可能である。表示制御部２５は、複数の光源を全て点灯する通常モードと、第１表示領域５５を照射する光源のみを点灯する省エネモードとを切り替え可能である。【選択図】      図４
2005242201.tif 000002
【特許請求の範囲】
【請求項１】
画像形成装置に含まれる表示装置であって、
平面方向に並べて配置された複数の光源を有するとともに、画像形成動作が可能な状態であることが表示される第１表示領域と前記第１表示領域を除く第２表示領域とを含む画面を表示可能なタッチパネル式の表示部と、
前記表示部に前記画面を表示し、前記複数の光源を全て点灯する第１モードと、前記第１表示領域を照射する光源のみを点灯する第２モードとを切り替え可能であるとともに、前記表示部に対し、前記第２表示領域に画像形成条件を含む画像形成情報が表示される第１操作画面と、前記第２表示領域に前記画像形成情報が表示されない第２操作画面とを選択的に表示させる表示制御部と、
を備えた、画像形成装置の表示装置。
【請求項２】
前記第１表示領域には、画像形成条件の少なくとも一部がさらに示される、請求項１に記載の画像形成装置の表示装置。
【請求項３】
前記表示制御部は、前記第２モードにおいて、前記第２表示領域に対する所定の操作により前記第１モードに復帰する、請求項１又は２に記載の画像形成装置の表示装置。
【請求項４】
前記所定の操作を所定時間続けることで前記第１モードに復帰する、請求項３に記載の画像形成装置の表示装置。
【請求項５】
転写材に対し画像形成を行う画像形成部と、
前記画像形成部による画像形成に関する情報を表示可能な、請求項１から４のいずれか１項に記載の表示装置と、
を備えた画像形成装置。
【発明の詳細な説明】
【技術分野】
【０００１】
本発明は、画像形成装置の表示装置に関する。
又、本発明は、そのような表示装置を備えた画像形成装置に関する。
【背景技術】
【０００２】
複写機、プリンタ等の画像形成装置は、印刷可能な状態である旨のメッセージや設定された印刷条件等が表示される表示装置を有し、表示装置は、通常、操作パネルに設けられた表示部と、表示部の表示動作を制御する表示制御部とを備えている。
【０００３】
従来の表示装置として、表示部に大型の液晶ディスプレイを採用したものがある。この種の表示部は、画面方向に並べて配置された複数の光源からなるバックライトを有しており、表示部の画面を内側から照射できるようになっている。
【０００４】
ところで、従来の画像形成装置として、印刷動作中における無駄な電力消費を抑えるために、印刷動作中にバックライトが消灯されるよう表示部の動作を制御する技術が既に提案されている（例えば、特許文献１参照）。
【特許文献１】特開平４−１９０３６７号公報
【発明の開示】
【発明が解決しようとする課題】
【０００５】
しかしながら、通常は、実際に印刷動作が行われる時間に比べ、印刷待機中の時間の方が圧倒的に長いため、上記特許文献１の技術では、大きな省エネ効果は期待できない。特に、近年の画像形成装置では、大型の液晶ディスプレイを採用した表示装置が主流になりつつあり、かかる表示装置では、バックライト点灯により消費される電力が大きいために、印刷待機中においてより大きな省エネ効果が求めらる。
【０００６】
その一方、印刷待機中にバックライトを一律に消灯することとすると、印刷をしようとするユーザーにとって、画像形成装置が印刷可能な状態であるかどうか等の判別が難しくなり、電源がオフになっていると勘違いしたり、使い勝手が悪いと感じたりすることが考えられる。
【０００７】
本発明の目的は、表示部による電力消費を抑えつつ、画像形成に関する必要最小限の情報をユーザーに提供することにある。
【課題を解決するための手段】
【０００８】
請求項１に係る表示装置は、画像形成装置に含まれる装置であって、表示部と、表示制御部とを備えている。表示部は、平面方向に並べて配置された複数の光源を有するとともに、画像形成動作が可能な状態であることが表示される第１表示領域と第１表示領域を除く第２表示領域とを含む画面を表示可能なタッチパネル式のものである。表示制御部は、表示部に画面を表示し、複数の光源を全て点灯する第１モードと、第１表示領域を照射する光源のみを点灯する第２モードとを切り替え可能であるとともに、表示部に対し、第２表示領域に画像形成条件を含む画像形成情報が表示される第１操作画面と、第２表示領域に画像形成情報が表示されない第２操作画面とを選択的に表示させる。
【０００９】
この装置では、第２モードでは、第２表示領域を照射する光源が消灯されることにより節電効果が得られるが、第１表示領域を照射する光源は第１モードと同様に点灯されるので、ユーザーは、少なくとも画像形成が可能であるか否かについては知ることができる。したがって、この装置では、表示部での電力消費を抑えられるとともに、ユーザーに対し印刷可能かどうかといった必要最小限の情報が提供され、利便性が向上する。特に、単に印刷動作を指示するに過ぎないようなユーザーに対して使い勝手が確保される点で有効である。
【００１０】
また、この装置では、第１モードでは、ユーザーは、タッチパネルに触れることで画像形成条件の入力等を行えるが、第２モードでは、第２表示領域には、かかる画像形成条件を含め画像形成情報が表示されないようになっている。したがって、ここでは、第２モードで、ユーザーが誤って第２表示領域に対し操作をすることで意図しない動作が行われてしまうのを防止することもできる。
【００１１】
なお、本発明において、第２モードに移行するタイミングとしては、画像形成装置が画像形成動作が可能な状態となってから所定時間経過した場合のほか、例えば、初期設定により画像形成装置の立ち上げが終了した時点からであっても良い。
【００１２】
なお、本発明において、画像形成条件としては、印刷部数、片面又は両面印刷、印刷濃度、用紙サイズ等の条件が挙げられる。また、画像形成情報は、画像形成装置による画像形成に関する情報を意味し、画像形成情報の他に、例えば、他の外部接続機器との間での通信状態といった情報も含まれる。
【００１３】
請求項２に係る表示装置は、請求項１の装置において、第１表示領域には、画像形成条件の少なくとも一部がさらに示される。
【００１４】
この装置では、第２モードにおいて、第１表示領域には、画像形成動作が可能であるか否かのみでなく、印刷部数等の画像形成条件も併せて表示されるので、画像形成の指示のみでなく、印刷部数等の簡単な印刷条件等の設定もできるようになり、より多くのユーザーに対して利便性が向上する。
【００１５】
請求項３に係る表示装置は、請求項１又は２の装置において、表示制御部は、第２モードにおいて、第２表示領域に対する所定の操作により第１モードに復帰する。
【００１６】
この装置では、第２表示領域に対する操作、例えば、表示部がタッチパネル式である場合の第２表示領域に触れる動作によって、第２モードから通常の第１モードに復帰することができ、モード間の切り替えが容易に行えるようになる。
【００１７】
なお、本発明において、第２表示領域に対する操作には、例えば、タッチパネル式の表示部では画面に触れること、また、非タッチパネル式の表示部ではボタン操作等が含まれる。
【００１８】
請求項４に係る表示装置は、請求項３の装置において、所定の操作を所定時間続けることで第１モードに復帰する。
【００１９】
この装置では、例えば、ユーザーが不意にタッチパネルに触れてしまったような場合は第１モードに復帰しないようにすることで、より節電効果を高めることができる。
【００２０】
請求項５に係る画像形成装置は、画像形成部と、表示装置とを備えている。画像形成部は、転写材に対し画像形成を行うものである。表示装置は、画像形成部による画像形成に関する情報を表示可能な、請求項１から４のいずれか１項に記載の装置である。
【００２１】
この画像形成装置では、上記表示装置を備えていることから、第２モードでは、第２表示領域を照射する光源が消灯されることにより節電効果が得られる一方で、第１表示領域を照射する光源は第１モードと同様に点灯されるので、ユーザーは、少なくとも画像形成が可能であるか否かについては知ることができる。したがって、この装置では、表示部での電力消費を抑えられるとともに、ユーザーに対し印刷可能かどうかといった必要最小限の情報が提供され、利便性が向上する。
【発明の効果】
【００２２】
本発明によれば、第２モードでは、第２表示領域を照射する光源が消灯されることにより節電効果が得られる一方で、第１表示領域を照射する光源は第１モードと同様に点灯されるので、ユーザーは、少なくとも画像形成が可能であるか否かについては知ることができる。したがって、本発明によれば、表示部での電力消費を抑えられるとともに、ユーザーに対し印刷可能かどうかといった必要最小限の情報が提供され、利便性が向上する。
【発明を実施するための最良の形態】
【００２３】
［画像形成装置の全体構成］
図１及び図２に、本発明の一実施形態が採用された画像形成装置１を示す。
【００２４】
この画像形成装置１は、複写機、プリンタ及びファクシミリ装置としての機能を併せ持つ複合型の機種であり、画像読取部３、操作パネル５及び画像形成部７等の入出力部と、これら入出力部の制御を行う制御部９とを備えている。
【００２５】
画像読取部３は、原稿に記録された画像情報を読み取るためのものであり、図示しない光学系を有している。
【００２６】
操作パネル５は、複数の操作キー１１と、後述する表示パネル１３とを有している。
複数の操作キー１１は、印刷動作を指示するためのスタートキー、印刷部数等の入力のためのテンキー、定着装置の待機温度を通常より低く設定するための節電キー及び各種設定キー等を有している。表示パネル１３は、複数の操作キー１１に隣接して配置されており、タッチパネル式の液晶ディスプレイで構成されている。
【００２７】
画像形成部７は、画像読取部３で読み取られた画像情報や外部から送られる画像情報に基づいて、用紙等の転写材に対して画像形成を行うためのものであり、図示しない感光体ドラム、主帯電装置、現像装置、転写装置及び定着装置等を含んでいる。感光体ドラムは、表面に静電潜像が形成される円筒状の回転体である。主帯電装置は、感光体ドラムの表面を帯電させるための装置である。現像装置は、静電潜像が形成された感光体ドラム表面にトナーを供給してトナー像を形成する装置である。転写装置は、感光体ドラム表面のトナー像を転写材に転写するための装置である。定着装置は、転写されたトナーを用紙に溶融定着させるための装置である。
【００２８】
なお、画像形成装置１は、他の入出力部として、給紙カセット２及び手差しトレイ４から転写材を画像形成部７に給紙するための給紙部（図示せず）や、画像形成が行われた転写材を排出するための排紙部（図示せず）等をさらに備えている。
【００２９】
制御部９は、ＣＰＵ、メモリ及び入出力インターフェース等を含むマイクロコンピュータで構成され、画像読取制御部２１、画像形成制御部２３及び表示制御部２５を有している。メモリは、ＲＡＭ及びＲＯＭで構成され、入出力部の動作の制御プログラムが格納されている。この制御プログラムには、画像読取制御、画像形成制御及び表示制御をＣＰＵに実行させるためのプログラムが含まれる。
【００３０】
［表示装置］
ここで、表示装置３１についてより詳細に説明する。
【００３１】
表示装置３１は、操作パネル５の表示パネル１３と、制御部９内の表示制御部２５とで構成される。
【００３２】
表示パネル１３は、上記のように液晶ディスプレイで構成されており、その内側にはバックライトとして点灯する複数の光源（図示せず）が平面方向に並んで配置されている。これらの光源は、後述する第１表示領域５１，５３が表示される画面領域を照射するものと、後述する第２表示領域５３，５７が表示される画面領域を照射するものとを含む。表示パネル１３には、具体的に、画像形成装置１が印刷可能な状態であることを示すメッセージ（ここでは、「コピーできます」）や、印刷部数等の印刷条件を含む画像形成情報が表示される。なお、画像形成情報には、例えばファクシミリ装置として機能する場合の通信状態も含まれる。
【００３３】
また、表示パネル１３には、通常の印刷待機状態に表示される通常操作画面（第１操作画面）４１（図３参照）と、節電のための省エネ操作画面（第２操作画面）４３（図４参照）とが選択的に表示される。通常操作画面４１は、図３に示すように、印刷可能な旨の上記メッセージ及び印刷部数が表示される第１表示領域５１と、画像形成情報が表示される第２表示領域５３とを有している。第２表示領域５３では、画像形成情報として、ここでは、用紙サイズ、印刷倍率、印刷濃度及び仕分け処理等に関する情報が表示され、各画像形成条件を設定できるようになっている。一方、省エネ操作画面４３は、図４に示すように、通常操作画面４１と同様の第１表示領域５５と、第２表示領域５７とが表示される。この第２表示領域５７は、通常動作画面４１に表示される第２表示領域５３と異なり、何の情報も表示されず、ユーザーがタッチパネルに触れても何ら機能しないようになっている。
【００３４】
表示制御部２５は、表示パネル１３の全ての光源を点灯する通常モード（第１モード）と、省エネ操作画面４３の第１表示領域５５を照射する光源のみを点灯する省エネモード（第２モード）との間で切り替え可能であり、通常モードでは通常操作画面４１を表示し、省エネモードでは省エネ操作画面４３を表示する。
【００３５】
また、表示制御部２５は、第１モードにおいて印刷可能な状態となってから所定時間（ここでは、数分程度）経過後に自動的に第２モードに移行するとともに、第２モードにおいて、ユーザーがタッチパネルの任意の場所を所定時間（ここでは、２〜３秒程度）触れ続けることにより第１モードに復帰するよう表示パネル１３の動作を制御する。また、ここでは、画像形成装置１に電源を投入して装置の立ち上げが完了した場合は、第１モードになるよう設定されている。
【００３６】
［画像形成装置の動作］
次に、図５に基づいて、画像形成装置１の動作について説明する。
【００３７】
なお、図５に示すフローチャートは、画像形成装置１の動作の一例に過ぎず、図５に示す以外の動作が行われても良い。
【００３８】
画像形成装置１に電源が投入され（Ｓ１）、装置１の立ち上げが完了すると、表示制御部２３により通常モードによる制御が行われ（Ｓ２）、表示パネル１３のバックライトの全ての光源が点灯するとともに、表示パネル１３に通常操作画面４１が表示される（Ｓ３）。
【００３９】
通常モードで数分経過すると（なお、通常モードで印刷動作が行われた場合は、その印刷動作終了時点から数分経過した場合）（Ｓ４）、省エネモードに移行して（Ｓ５）、バックライトの光源の一部が消灯されるとともに、省エネ操作画面４３が表示される（Ｓ６）。
【００４０】
このような省エネモードにおいて、ユーザーが印刷をしようとして、テンキーを操作して印刷部数を入力すると（Ｓ７）、印刷部数がデフォルト値である１部から新たな部数に変更され（Ｓ８）、変更後の印刷部数が省エネ操作画面４３の第１表示領域５５の右隅に表示される。そして、スタートキーが押されて印刷が指示されると（Ｓ９）、印刷動作が行われる（Ｓ１０）。なお、ステップＳ７において、印刷部数の設定が行われなかった場合は、ステップＳ９による印刷指示を待つとともに、ステップＳ９での印刷指示も行われないような場合は、ステップＳ１１での復帰動作を待つこととなる。
【００４１】
また、省エネモードにおいて、ユーザーが省エネ操作画面４３上のタッチパネルに数秒間触れると（Ｓ１１）、通常モードに復帰するとともに（Ｓ２）、そのような復帰動作がされない場合は、そのまま省エネモードによる制御状態が保持される（Ｓ１２）。
【００４２】
以上のような画像形成装置１によれば、通常モードで所定時間経過すると、省エネモードに移行して、バックライトの一部の光源が消灯されるため、表示パネル１３での電力消費が抑えられ、節電効果が得られる。その一方で、省エネモードであっても、省エネ操作画面４３の第１表示領域５５を照射する光源は点灯し続けるため、画像形成装置１が印刷可能な状態にあることや印刷部数といった最低限必要な情報については、ユーザーが把握することができる。
【００４３】
したがって、この画像形成装置１によれば、印刷待機中等における表示パネル１３による電力消費が抑えらるとともに、印刷に関する必要最小限な情報がユーザーに提供されることで利便性が向上する。
【００４４】
また、この画像形成装置１では、通常モードでは、ユーザーは、タッチパネルに触れることで画像形成条件の入力等を行えるが、省エネモードでは、第２表示領域５３，５７には、かかる画像形成条件等が表示されないようになっている。したがって、省エネモードで、ユーザーが誤って第２表示領域５３，５７に対し操作をすることで意図しない動作が行われてしまうのを防止することができる。
【００４５】
［他の実施形態］
（ａ）上記実施形態において、各操作画面での各表示領域の配置、構成は、図３及び図４に示すものに限定されない。
【００４６】
（ｂ）上記実施形態において、２つの操作画面が切り替えて表示されるよう構成されていなくても良い。すなわち、本発明では、少なくとも通常モード及び省エネモードの切り替えが行われれば良く、省エネモードにおいて通常操作画面が引き続き表示されるとともに、この通常操作画面の第２操作画面を照射する光源は消灯されても良い。そして、この場合、通常操作画面に対して、ユーザーがタッチパネルに触れることにより第２表示領域に対して操作が可能であっても良く、画面に対する操作が受け付けないよう構成して良い。
【００４７】
（ｃ）第１及び第２モードの切り替えのタイミングとしては、上記実施形態で説明した場合に限らず、第１モードである場合にユーザーがタッチパネルの特定の場所に触れる等手動によって、或いは、画像形成装置１に電源が投入されて装置１の立ち上げが完了した時点から第２モードになるよう設定されても良い。
【００４８】
（ｄ）第２モードから第１モードへの復帰のための動作は、上記実施形態のようにタッチパネルに触れることに限定されず、いずれかの操作キーを押すこと等によって行われても良い。
【００４９】
（ｅ）第１表示領域は、少なくとも画像形成装置が印刷可能な状態にあることを示すメッセージ等を含んでいれば良く、印刷部数についての表示がされなくても、或いは、印刷部数に加え他の印刷条件等が表示されても良い。
【００５０】
（ｆ）本発明は、非タッチパネル式の表示パネルを含む画像形成装置にも適用可能である。
【００５１】
（ｇ）上記実施形態にかかる構成は適宜組み合わせて採用することができる。
【図面の簡単な説明】
【００５２】
【図１】本発明の一実施形態が作用された画像形成装置を示す斜視図。
【図２】前記画像形成装置の構成を示すブロック図。
【図３】前記画像形成装置の表示パネルに表示される通常操作画面を示す平面図。
【図４】前記表示パネルに表示される省エネ操作画面を示す平面図。
【図５】前記画像形成装置の動作を説明するためのフローチャート。
【符号の説明】
【００５３】
１  画像形成装置
７  画像形成部
９  制御部
１３  表示パネル（表示部）
２５  表示制御部
３１  表示装置
４１  通常操作画面（第１操作画面）
４３  省エネ操作画面（第２操作画面）
５１，５５  第１表示領域
５３，５７  第２表示領域
【図１】
2005242201.tif 000003
【図２】
2005242201.tif 000004
【図３】
2005242201.tif 000005
【図４】
2005242201.tif 000006
【図５】
2005242201.tif 000007